(57)【要約】【課題】内容物を挿入し易く、周縁のヒートシール部の接合強度が高く、且つ、開封が容易で内容物を取り出し易い滅菌袋を提供する。【解決手段】非通気性の裏面シート２と、平面視で一方側の領域が非通気性シート４から構成され他方側の領域が通気性の滅菌紙５から構成されて裏面シート２に積層された表面シート３と、を有し、表面シート３の内面と裏面シート２の内面は、周縁において一部分の開口部１５を残して互いにヒートシールされており、非通気性シート４と滅菌紙５との接合部１２は、非通気性シート４が外側になるように一部分が重ね合わされて非通気性シート４の内面と滅菌紙５の外面が剥離自在にヒートシールされている。これにより、滅菌袋１から内容物Ｘを取り出す際には、表面シート３の非通気性シート４と滅菌紙５との接合部１２を引き剥がして滅菌袋１を容易に開封することができる。【選択図】図１
2018114999.tif 000002
【特許請求の範囲】
【請求項１】
非通気性の裏面シートと、
平面視で一方側の領域が非通気性シートから構成され他方側の領域が通気性の滅菌紙から構成されて前記裏面シートに積層された表面シートと、を有し、
前記表面シートの内面と前記裏面シートの内面は、周縁において一部分の開口部を残して互いにヒートシールされており、
前記非通気性シートと前記滅菌紙との接合部は、前記非通気性シートが外側になるように一部分が重ね合わされて前記非通気性シートの内面と前記滅菌紙の外面が剥離自在にヒートシールされていることを特徴とする滅菌袋。
【請求項２】
前記非通気性シートの前記滅菌紙に重ね合わされた部分の縁部には、前記滅菌紙にヒートシールされていない非シール部が残されていることを特徴とする請求項１に記載の滅菌袋。
【請求項３】
前記裏面シート及び前記非通気性シートは、それぞれ支持基材及びその内面に形成されたヒートシール層を有し、
前記裏面シートの前記ヒートシール層は、前記非通気性シートの前記ヒートシール層よりも融点が高いことを特徴とする請求項１または請求項２に記載の滅菌袋。
【請求項４】
前記開口部は、前記滅菌紙の縁部に形成されていることを特徴とする請求項１ないし請求項３の何れか１項に記載の滅菌袋。
【発明の詳細な説明】
【技術分野】
【０００１】
本発明は、医療用品等を収納して封止した状態で内容物の滅菌処理を行うことができる滅菌袋に関する。
【背景技術】
【０００２】
従来、この種の滅菌袋として、例えば、特許文献１に開示された滅菌用袋が知られている。同文献に記載された滅菌用袋は、次のように袋状に形成されている。先ず、非通気性シートの２箇所が折り曲げられて断面略Ｃ字状にされ、非通気性シートの端部間の開口に内側から滅菌紙を当てがわれる。そして、当該滅菌紙の端部が非通気性シートに挟まれた状態で非通気性シートの周辺部がヒートシールされる。次いで、滅菌紙の側縁部と非通気性シートの側縁部との重なり部分がイージーピールシールされて密封された後、前記２箇所の折り曲げ部のうち、一方の折り曲げ部が切り落とされて開口部が形成される。
【０００３】
この滅菌用袋は、前記開口部から滅菌用袋の内部に内容物が収納された後、該開口部がヒートシールされて密封される。そして、この滅菌用袋は、内容物が封入された状態で、滅菌処理された後、市場に流通する。内容物を使用する際には、滅菌紙と非通気性シートとのイージーピールシールを引き剥がして開封し、内容物を取り出すことができる。
【０００４】
また、他の従来技術の例として、特許文献２に開示された滅菌袋が知られている。同文献に記載された滅菌袋は、矩形の表裏体を重ねて四辺のうち一辺を除いた周縁部をヒートシールして接合することにより形成されている。また、表裏体は、一方の一部領域を除いて非通気性シートから形成される。前記一部領域には、滅菌処理のための通気性を有する通気性シートが配されている。
【０００５】
通気性シートが配される前記一部領域は、開口部と底部との中間部領域に形成されている。そして、前記通気性シートの周縁部は、ヒートシールにより前記非通気性シートに剥離可能に接合される。これにより、通気性シートを引き剥がして、非通気性シートが存在しない前記一部領域から内容物を取り出すことができる。
【先行技術文献】
【特許文献】
【０００６】
【特許文献１】特開２００７−１５８４号公報
【特許文献２】特開２０１０−２６８９６７号公報
【発明の概要】
【発明が解決しようとする課題】
【０００７】
しかしながら、上記した従来技術の滅菌袋は、周縁のヒートシール部が破損して内容物が脱落してしまうことや菌等が侵入してしまうことを防止すると共に、開封及び内容物の取り出しを容易にするために改善すべき点があった。
【０００８】
即ち、内容物を封入する際や輸送時等に滅菌袋周縁のヒートシール部が剥離しないようにするためには、ヒートシール部の接合強度を高める必要がある。他方、開封を容易にするためには、開封部となるヒートシール部は、剥離可能に適度な強度で接合されなければならない。しかしながら、特許文献１に開示された従来技術のように、１枚の非通気性シートを折り曲げて滅菌紙を接合する構成では、滅菌袋の周縁等においては滅菌紙と非通気性シートとの接合強度を高くし、開封部となるヒートシール部のみ接合強度を低くして剥離可能とすることが容易ではなかった。
【０００９】
また、上記した従来技術のように、内容物を挿入するための開口部が滅菌袋の端辺部に表裏の非通気性シートに挟まれるように形成される構成では、開口部近傍において非通気性シートの内面同士が密着しており、開口部を開き難いという問題点もある。また、滅菌袋に内容物を挿入する際には、内容物と非通気性シートの内面との滑りが悪く、内容物を入れ難いという問題点もあった。
【００１０】
また、特許文献２に開示された滅菌袋のように、表裏体の一部領域に設けられた通気性シートを引き剥がして内容物を取り出す構成では、ヒートシール部の剥離を防止する観点から、内容物を取り出すための開口を広く確保することが難しかった。開口が狭いと内容物を取り出し難い。また、通気性シートは非通気性シートと比べて高価であるので、開口を広く確保するために通気性シートを大きくすると、滅菌袋の生産コストが高くなってしまうという問題点もある。
【００１１】
本発明は、上記の事情に鑑みてなされたものであり、その目的とするところは、内容物を挿入し易く、周縁のヒートシール部の接合強度が高く、且つ、開封が容易で内容物を取り出し易い滅菌袋を提供することにある。
【課題を解決するための手段】
【００１２】
本発明の滅菌袋は、非通気性の裏面シートと、平面視で一方側の領域が非通気性シートから構成され他方側の領域が通気性の滅菌紙から構成されて前記裏面シートに積層された表面シートと、を有し、前記表面シートの内面と前記裏面シートの内面は、周縁において一部分の開口部を残して互いにヒートシールされており、前記非通気性シートと前記滅菌紙との接合部は、前記非通気性シートが外側になるように一部分が重ね合わされて前記非通気性シートの内面と前記滅菌紙の外面が剥離自在にヒートシールされていることを特徴とする。
【発明の効果】
【００１３】
本発明の滅菌袋によれば、表面シートは、平面視で一方側の領域が非通気性シートから構成され他方側の領域が滅菌紙から構成されている。そして、非通気性シートと滅菌紙との接合部は、非通気性シートが外側になるように一部分が重ね合わされて非通気性シートの内面と滅菌紙の外面が剥離自在にヒートシールされている。これにより、滅菌袋から内容物を取り出す際には、表面シートの非通気性シートと滅菌紙との接合部を引き剥がして滅菌袋を容易に開封することができる。
【００１４】
また、非通気性シートを滅菌紙から引き剥がして、更に滅菌袋周縁のヒートシール部までも引き剥がして表面シートを大きく開封することが可能な構成を採用することもできる。これにより、内容物の取り出しが容易になる。
【００１５】
また、表面シートの非通気性シートを大きく、滅菌紙を小さく形成することより、内容物の取り出し容易性を確保しつつ、高価な滅菌紙の使用量を減らして、滅菌袋のコストを削減することができる。また、滅菌紙を小さくすることにより、滅菌袋の内部が視認し易くなるという効果もある。
【００１６】
また、表面シートの非通気性シートと滅菌紙との接合部が開封部となるので、表面シートを上方にして滅菌袋をテーブル等の上に載置して前記開封部を開くことができる。これにより、裏面シートの上に内容物を載せた状態で表面シートを大きく開いて、内容物を容易に取り出すことができる。
【００１７】
また、内容物を取り外す際に、滅菌紙を裏面シートから引き剥がす必要がないので、滅菌紙と裏面シートとは強固に接合されていても良い。よって、内容物を挿入する際や輸送の際等に、滅菌袋の周縁の滅菌紙と裏面シートとのヒートシール部が剥離してしまうことを防止することができる。
【００１８】
また、本発明によれば、非通気性シートの滅菌紙に重ね合わされた部分の縁部には、滅菌紙にヒートシールされていない非シール部が残されていても良い。これにより、滅菌袋を開封する際には、非通気性シートの縁部に形成された非シール部を摘まんで非通気性シートを容易に引き剥がすことができる。
【００１９】
また、本発明によれば、裏面シート及び非通気性シートは、それぞれ支持基材及びその内面に形成されたヒートシール層を有し、裏面シートのヒートシール層は、非通気性シートのヒートシール層よりも融点が高くても良い。これにより、滅菌袋の周縁のヒートシール部においては、表面シートの内面と裏面シートの内面とが強固に接合され、優れた接合強度が得られる。他方、非通気性シートのヒートシール層は、裏面シートのヒートシール層よりも融点が低くなるので、表面シートの非通気性シートと滅菌紙との接合部は、容易に開封できるように好適な接合強度でヒートシールされる。このような構成により、輸送時等に滅菌袋の周縁のヒートシール部が剥がれてしまう等の不具合を回避することができる。また、開封時には、滅菌袋の周縁のヒートシール部が剥がれて内容物が落下してしまう等の不具合を回避しつつ、開封部となる非通気性シートと滅菌紙との接合部を容易に引き剥がして開封することができる。
【００２０】
また、本発明によれば、滅菌袋の周縁において表面シートと裏面シートがヒートシールされていない開口部は、滅菌紙の縁部に形成されていても良い。これにより、滅菌袋に内容物を入れる際に、開口部を開き易くなり、また、滅菌紙と内容物との滑りが良好であるので、内容物を入れる作業が容易になる。
【図面の簡単な説明】
【００２１】
【図１】本発明の実施形態に係る滅菌袋の概略構成を示す（Ａ）平面図、（Ｂ）Ａ−Ａ線断面図である。
【図２】本発明の実施形態に係る滅菌袋の（Ａ）内容物が挿入される状態、（Ｂ）内容物が収納された状態を示す断面図である。
【図３】本発明の実施形態に係る滅菌袋の開封された状態を示す断面図である。
【発明を実施するための形態】
【００２２】
以下、本発明の実施形態に係る滅菌袋を図面に基づき詳細に説明する。
図１（Ａ）は、本発明の実施形態に係る滅菌袋１の概略構成を示す平面図であり、図１（Ｂ）は、滅菌袋１の図１（Ａ）に示すＡ−Ａ線断面図である。
【００２３】
滅菌袋１は、注射器、注射針、カテーテル、輸液チューブ、医療用メス、ガーゼ等の各種医療用品等を収納するものである。滅菌袋１は、内部に注射器等の内容物が収納されて封止された状態で、内容物の滅菌処理を行うことが可能に構成されている。そして、滅菌袋１は、各種医療用品等を医療現場まで輸送して保管するための包装容器として用いられる。
【００２４】
図１（Ａ）及び（Ｂ）に示すように、滅菌袋１は、裏面シート２と表面シート３とを有し、平面視で略矩形状に形成されている。裏面シート２は、略矩形状に形成された菌バリア性を有する非通気性のシートである。他方、表面シート３は、菌バリア性を有する非通気性シート４と、通気性を有する菌バリア性の滅菌紙５と、を有する。
【００２５】
表面シート３は、平面視において裏面シート２と略同一の周囲形状に形成されている。表面シート３の図１において右側の領域は、略矩形状に形成された非通気性シート４から構成され、左側の領域は、略矩形状に形成された滅菌紙５から構成されている。
【００２６】
裏面シート２及び非通気性シート４は、空気や菌、異物等を通さない合成樹脂製のシート若しくはフィルムまたはそれらの積層体である。裏面シート２及び非通気性シート４としては、例えば、ポリエチレン、ポリプロピレン、ポリアミド、ポリエステル、ナイロン等の各種合成樹脂製の複合シート材等を採用し得る。
【００２７】
また、裏面シート２及び非通気性シート４の内面の少なくとも後述するヒートシールされる箇所は、ヒートシール可能に構成される必要がある。具体的には、裏面シート２及び非通気性シート４のヒートシールされる箇所には、低融点のヒートシールコート剤が塗布される。または、裏面シート２及び非通気性シート４の内面全体に、加熱されることによって接合するヒートシール層が設けられる。
【００２８】
例えば、裏面シート２及び非通気性シート４の支持基材として外面側にポリエチレンテレフタラートシートが用いられ、その内面側にヒートシール層としてポリエチレンフィルムが設けられても良い。また、ヒートシール層としては、例えば、ポリエチレン、ポリプロピレン及びポリスチレンから成るポリマーアロイ等が利用されても良い。なお、裏面シート２のヒートシール層は、非通気性シート４のヒートシール層よりも融点が高い方が望ましい。
【００２９】
滅菌紙５は、滅菌処理が可能となるようにエチレンオキサイド等の滅菌用のガスが流通自在な通気性を有し、更に滅菌処理後には菌等の侵入を防止できる菌バリア性を有する。滅菌紙５としては、略帯状の形態を成す不織布や紙等を用いることができる。例えば、本実施形態では、滅菌紙５として高密度ポリエチレン繊維からなる略帯状の多孔性不織布が用いられている。
【００３０】
表面シート３及び裏面シート２は、重なり合うように配設され、その周縁は、一部分の開口として開口部１５を残して塞がれている。具体的には、積層された表面シート３及び裏面シートの３辺に対応する縁部は、周縁シール部１１によって塞がれており、残りの１辺である辺１ａに開口部１５が形成されている。
【００３１】
周縁シール部１１は、表面シート３と裏面シート２とを互いにヒートシールすることにより形成されている。即ち、周縁シール部１１では、表面シート３の内面と裏面シート２の内面を当接させて加熱圧縮することにより表面シート３と裏面シート２が熱接合されている。
【００３２】
開口部１５は、内容物を滅菌袋１の内部に入れるための開口である。開口部１５は、表面シート３と裏面シート２をヒートシールしないことにより形成される。また、開口部１５は、滅菌紙５が設けられている側の縁部、即ち辺１ａ側に形成されている。なお、開口部１５から滅菌袋１の内部に内容物が入れられた後、開口部１５は、ヒートシールされて封止される。
【００３３】
表面シート３を構成する非通気性シート４と前記滅菌紙５との接合部近傍は、滅菌袋１の中から内容物を取り出す際に開封される開封部１６となる。具体的には、非通気性シート４と滅菌紙５は、非通気性シート４が外側になるように一部分が重ね合わされて、配設さている。そして、非通気性シート４と滅菌紙５の重なり部分には、非通気性シート４の内面と滅菌紙５の外面が剥離自在にヒートシールされて、開封自在な開封シール部１２が形成されている。
【００３４】
開封シール部１２は、開口部１５が形成される辺１ａと略平行に、辺１ａにつながる両側辺の周縁シール部１１に達するよう滅菌袋１の略全幅に亘って延在している。これにより、開封シール部１２及び周縁シール部１１を連続して容易に引き剥がすことができるようになる。
【００３５】
非通気性シート４の滅菌紙５に重ね合わされた部分の縁部、即ち開封シール部１２よりも外側になる端辺４ａの近傍には、滅菌紙５にヒートシールされていない非シール部１４が残されている。非シール部１４は、開封シール部１２を剥がして滅菌袋１を開封する際に、非通気性シート４を摘まむための部分である。
【００３６】
図２（Ａ）は、内容物Ｘが挿入される状態を示す滅菌袋１の断面図であり、図２（Ｂ）は、内容物Ｘが収納された状態を示す滅菌袋１の断面図である。
図２（Ａ）に示すように、滅菌袋１に医療用品等の内容物Ｘを入れる際には、開口部１５が開かれる。前述のとおり、開口部１５は、滅菌紙５が設けられている側の縁部に形成されているので、裏面シート２と滅菌紙５が密着して貼り付くことが抑制され、開口部１５は開き易くなっている。
【００３７】
そして、開かれた開口部１５から滅菌袋１の内部に内容物Ｘが挿入される。開口部１５が滅菌紙５の縁部に形成されており、滅菌紙５の内面と内容物Ｘとの滑りが良好であるので、内容物Ｘを入れる作業は容易である。
【００３８】
内容物Ｘが挿入された後、図２（Ｂ）に示すように、滅菌袋１の開口部１５はヒートシールされる。即ち、開口部１５において、裏面シート２の縁部内面と滅菌紙５の縁部内面とが熱接合して開口シール部１３が形成される。これにより、滅菌袋１は、封止される。
【００３９】
そして、滅菌袋１は、内容物Ｘが収納され、封止された状態で、滅菌処理される。即ち、通気性を有する滅菌紙５を介して、滅菌用のガスが滅菌袋１の内部に流入、流出されて、内容物Ｘの滅菌処理が行われる。そして、内容物Ｘが収納された滅菌袋１は、医療現場まで輸送され、保管される。
【００４０】
なお、内容物Ｘの滅菌方法は、上記に限定されず、例えば、滅菌袋１に収納された内容物Ｘに、ガンマ線や電子線等の放射線や紫外線を照射する方法でも良い。放射線等を利用する滅菌方法が採用される場合には、放射線等の照射によって表面シート３や裏面シート２から臭いが発生する恐れがある。しかし、収納袋１に滅菌紙５が設けられることにより、滅菌紙５を介して臭い成分を外部に逃がすことができるので、開封時の臭いを低減することができるという効果がある。
【００４１】
図３は、滅菌袋１の開封された状態を示す断面図である。
滅菌袋１から内容物Ｘを取り出して利用する際には、図３に示すように、開封部１６の非シール部１４を指で摘まんで非通気性シート４を滅菌紙５から引き離す方向に引っ張ることにより、滅菌袋１を容易に開封することができる。
【００４２】
即ち、利用者は、一方の手で滅菌袋１の滅菌紙５側の縁部近傍を押さえ、他方の手で非シール部１４を摘まんで、開封部１６を広げるように非シール部１４を引っ張る。これにより、開封シール部１２が引き剥がされ、表面シート３の開封部１６が開かれる。なお、非通気性シート４の開封部１６側の縁部には、滅菌紙５にヒートシールされていない非シール部１４が形成されているので、開封シール部１２に力を加え易い。これにより、滅菌袋１の開封が容易になる。
【００４３】
なお、前述のとおり、図１（Ａ）を参照して、裏面シート２のヒートシール層は、非通気性シート４のヒートシール層よりも融点が高い。これにより、滅菌袋１の周縁シール部１１においては、表面シート３の内面と裏面シート２の内面とが強固に接合され、優れた接合強度が得られる。
【００４４】
特に、滅菌紙５は、内容物Ｘを取り外す際に、裏面シート２から引き剥がされる必要がないので、滅菌紙５と裏面シート２の接合部となる周縁シール部１１及び開口シール部１３（図２（Ｂ）参照）は強固に接合されていても良い。滅菌紙５と裏面シート２を接合する周縁シール部１１及び開口シール部１３の接合強度が高められることにより、内容物Ｘを挿入する際や輸送の際等に、滅菌紙５と裏面シート２が剥離してしまうことを防止することができる。また、滅菌袋１が開封された後も、滅菌紙５は分離されず裏面シート２に接合されているので、剥離屑等の発生も少なく、使用後の滅菌袋１の廃棄も容易である。
【００４５】
他方、非通気性シート４のヒートシール層は、裏面シート２のヒートシール層よりも融点が低くなるので、表面シート３の非通気性シート４と滅菌紙５との接合部である開封シール部１２は、容易に開封できるように好適な接合強度でヒートシールされる。
【００４６】
このような構成により、輸送時や開封時等に滅菌袋１の周縁シール部１１及び開口シール部１３が剥がれて内容物Ｘが落下してしまう等の不具合を回避しつつ、開封シール部１２を容易に引き剥がして開封することができる。
【００４７】
また、非通気性シート４と裏面シート２を接合する周縁シール部１１における接合強度を適宜設定することにより、当該周縁シール部１１を剥離可能に形成することも可能である。これにより、開封シール部１２において非通気性シート４を滅菌紙５から引き剥がして、更に滅菌袋１の周縁シール部１１までも引き剥がして、図３に示す如く、表面シート３を大きく開封することが可能となる。その結果、内容物Ｘの取り出しが容易になる。
【００４８】
また、図１（Ａ）に示すように、表面シート３の非通気性シート４は、滅菌紙５よりも大きく形成されている。これにより、内容物Ｘの取り出し容易性を確保しつつ、高価な滅菌紙５の使用量を減らして、滅菌袋１のコストを削減することができる。また、滅菌紙５を小さくすることにより、滅菌袋１の内部が視認し易くなるという効果もある。
【００４９】
また、前述のとおり、開封部１６となる開封シール部１２は、表面シート３に形成されているので、表面シート３を上方にして滅菌袋をテーブル等の上に載置して開封部１６を開くことができる。これにより、裏面シート２の上に内容物Ｘを載せた状態で表面シート３を大きく開いて、内容物Ｘを容易に取り出すことができる。
【００５０】
なお、本発明は、上記実施形態に限定されるものではない。例えば、上記の例では、開口部１５が滅菌紙５の縁部に形成される例を示したが、開口部１５は、滅菌紙５が配置される辺１ａ側の反対となる辺１ｂ側に形成されても良い。
その他、本発明の要旨を逸脱しない範囲で、種々の変更実施が可能である。
【符号の説明】
【００５１】
１      滅菌袋
２      裏面シート
３      表面シート
４      非通気性シート
５      滅菌紙
１１    周縁シール部
１２    開封シール部
１３    開口シール部
１４    非シール部
１５    開口部
１６    開封部
【図１】
2018114999.tif 000003
【図２】
2018114999.tif 000004
【図３】
2018114999.tif 000005